(57)【要約】【課題】電池やモータなどの駆動手段を備えることなく薬剤の有効成分を効率的に揮散させて薬剤の種類に応じ害虫を防除するなどの効果を発揮することができ、且つコンパクトで安価に製造することができる携帯型薬剤揮散装置を提供する【解決手段】薬剤が含浸された担体２１を、当該担体２１を保持する薬剤保持体２０を介して携帯型害虫防除装置（携帯型薬剤揮散装置）１に移動自在に収容して、使用者が携帯型害虫防除装置１を取り付けている身体２や携帯品を動かすことにより、担体２１を移動させて薬剤を揮散させる。【選択図】図１
2008283934.tif 000002
【特許請求の範囲】
【請求項１】
身体又は携帯品に取り付けて使用する携帯型薬剤揮散装置であって、
薬剤が含浸された担体を移動自在に収容又は止着し、身体又は携帯品を動かすことにより、前記担体を移動させて前記薬剤の有効成分を揮散させる
ことを特徴とする携帯型薬剤揮散装置。
【発明の詳細な説明】
【技術分野】
【０００１】
本発明は、携帯型薬剤揮散装置に関し、より詳細には、使用者が身につけて屋外などで使用するのに好適な携帯型薬剤揮散装置に関する。
【背景技術】
【０００２】
使用者が身につけて使用する携帯型薬剤揮散装置としての従来の携帯型害虫防除装置としては、虫忌避剤と紫外線感光剤を含有する樹脂を環状に形成し、手首や足首などに装着して使用するようにした装飾用リングが知られている（例えば、特許文献１参照。）。また、常温で揮散する忌避剤を担体に含浸させた虫除け本体の一面に粘着剤層を設け、或いは、該虫除け本体を底面に粘着剤層が設けられたプラスチックケースに収納し、粘着剤層によって人体や衣服に貼着して使用するようにした虫除け具が知られている（例えば、特許文献２参照。）。更に、電池駆動されるモータによって送風機を回転させ、揮散性の薬剤を納める薬剤容器に空気を吸い込み、放出して、揮散性の薬剤を積極的に放散するようにした送風式薬剤放散装置が開示されている（例えば、特許文献３参照。）。
【０００３】
【特許文献１】登録実用新案３１２４８９７号公報
【特許文献２】特開平９−１５４４７０号公報
【特許文献３】特開２００５−３１２３３５号公報
【発明の開示】
【発明が解決しようとする課題】
【０００４】
しかし、特許文献１に開示されている装飾用リングや、特許文献２に開示されている虫除け具に使用可能な薬剤成分は、必ずしも害虫防除機能が十分に発揮できない問題があった。また、特許文献３に開示されている送風式薬剤放散装置は、送風機によって薬剤容器の吸込み口から空気を吸い込み、揮散した薬剤を吸い込んだ空気と共に放出口から放散するようにしたものであり、揮散性の薬剤を積極的に放散して効率的に害虫防除機能を発揮することができるものの、送風機の駆動手段としてモータ及び電池が必要であり、製造コストが嵩むばかりでなく、薬剤放散装置が大型となって携帯用として用いるには改善の余地があった。
【０００５】
本発明は、前述した課題に鑑みてなされたものであり、その目的は、電池やモータなどの駆動手段を備えることなく薬剤の有効成分を効率的に揮散させて薬剤の種類に応じ害虫を防除するなどの効果を発揮することができ、且つコンパクトで安価に製造することができる携帯型薬剤揮散装置を提供することにある。
【課題を解決するための手段】
【０００６】
本発明の上記目的は、下記の構成により達成される。
（１）  身体又は携帯品に取り付けて使用する携帯型薬剤揮散装置であって、
薬剤が含浸された担体を移動自在に収容又は止着し、身体又は携帯品を動かすことにより、前記担体を移動させて前記薬剤の有効成分を揮散させる
ことを特徴とする携帯型薬剤揮散装置。
【０００７】
上記構成の携帯型薬剤揮散装置によれば、薬剤が含浸された担体を携帯型薬剤揮散装置に移動自在に収容あるいは止着したので、使用者が携帯型薬剤揮散装置を取り付けている身体や携帯品を動かすこと及び／又は風があたることにより、前記担体を移動させ薬剤の有効成分を揮散させて効果的に害虫を防除することができる。
なお、ここで言う止着とは、前記担体を何らかの容器内に移動可能に収容するのではなく、身体や携帯品、あるいは身体や携帯品に取り付けるための装着手段に、例えばテープや接着剤等によって前記担体を固定的に取り付けることをも含めて意味する。したがって、前記担体を止着した場合には、前記担体は身体や携帯品に対しては移動しないが、止着された身体や携帯品等を動かすこと及び／又は風があたることにより、前記担体が移動することになる。
【発明の効果】
【０００８】
本発明によれば、電池やモータなどの駆動手段を備えることなく薬剤の有効成分を効率的に揮散させて薬剤の種類に応じ害虫を防除するなどの効果を発揮することができ、且つコンパクトで安価に製造することができる。
【発明を実施するための最良の形態】
【０００９】
以下、携帯型薬剤揮散装置としての、本発明に係る携帯型害虫防除装置の実施形態を図面に基づいて詳細に説明する。なお、以下の実施形態では薬剤として害虫防除を行うものを採用した場合について説明するが、特にこれに限らず種々の薬剤について適用できる。
図１は本発明の第１実施形態に係る腕装着型の携帯型害虫防除装置の全体斜視図、図２は図１における携帯型害虫防除装置の分解斜視図、図３は下カバーの下面を示す斜視図、図４は装着手段であるリストバンドの斜視図、図５は腕に装着された携帯型害虫防除装置の斜視図である。
【００１０】
図１及び図２に示すように、本発明の第１実施形態にかかる携帯型害虫防除装置１Ａは、身体又は携帯品に取り付けて使用するものであって、器体１０Ａ内に薬剤保持体２０を移動自在に収容している。器体１０Ａは、樹脂によって略椀形に形成された上カバー１１及び下カバー１２とからなり、下カバー１２に上カバー１１を嵌合させることにより内部に薬剤保持体２０を収容するための空間Ｓが形成される。
なお、器体１０Ａは、使用者の腕２に装着する装着手段であるリストバンド３０に着脱可能に取り付けられて使用される（図５参照）。
【００１１】
図２に示すように、上カバー１１は、有底円筒状に形成されており、底部１１ａ（図２においては上面）には通気口である開口１１ｂが設けられている。ここでは、底部１１ａを例えば中心部１１ｄと、中心から放射状に延びる複数（例えば６本）のリブ１１ｅとで構成することにより、開口１１ｂの面積を大きく設けている。底部１１ａの中心部１１ｄの下面にはＬ字形状またはＪ字形状をした引っ掛け部を有する支持部１３が設けられている。また、側壁１１ｃにも通気口となる開口１１ｆが設けられている。
ここでは、例えば側壁１１ｃの周方向に沿って開口１１ｆが２段に設けられている。なお、開口１１ｂ及び開口１１ｆの大きさ、形状、個数は、これに限定されることなく、実施を妨げない範囲で任意に設定することができる。
【００１２】
図２に示すように、下カバー１２は、底部１２ａと、底部１２ａの外周に沿って立設された壁部１２ｂとにより略有底円筒状に形成されている。壁部１２ｂの上端には、複数箇所（ここでは２箇所）において外側へ突出した係合片１２ｄが設けられており、上カバー１１の側壁１１ｃの内面に設けられている係合部（図示省略）に係合させることにより、上カバー１１と下カバー１２とが一体化されるようになっている。なお、係合片を上カバー１１に設け、係合部を下カバー１２に設けるようにしてもよい。
また、図３に示すように、下カバー１２の下面１２ｃ（図３においては上面）には、下方に突出し更に半径方向外方に突出する略Ｌ字形の一対の取付ボス１２ｅ、１２ｅが形成されている。
【００１３】
図２に示すように、薬剤保持体２０は、害虫防除成分を保持するとともに害虫防除成分を揮散させる担体２１と、該担体２１を収容・保持する保持器２２とを有している。担体２１は、円盤状の外形を有するとともに中央には貫通穴２１ａが設けられており、害虫防除成分を含む薬剤が保持されている。
【００１４】
担体２１は、形態、材質、サイズ等を任意に設定できるが、簡単な構造で、通気性の大きいものが好ましい。例えば、ハニカム形状、スノコ形状、蛇腹形状、網形状、スリット形状、格子形状、粒状、顆粒状、または開孔を設けた紙類等の構造のもの等適宜種々のものを採用できる。各セルの形状も本発明の効果の面では問題にならない。上記した以外の形状として、例えば６角形蜂の巣形状でも、円形状、Ｓ字形状でもよい。通気性ケース（保持体ケース）中に、粒体、ブロック、粉砕物等を、通気性を阻害しないように収納した通気性担体も、担体２１として使用することができる。
【００１５】
担体２１を形成する材質は、有効成分を十分に保持できるものであれば特に限定されない。しかし、保持した有効成分を一時に揮散させるようなものより、要求される時間にわたって同じ量の有効成分を連続的に揮散させることができるような材質であることが好ましい。例えば紙類（濾紙、パルプ、リンター、厚紙、ダンボール等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等が挙げられる。
【００１６】
また、担体２１は、有効成分を含む薬剤が含浸されて、該薬剤を保持し、これらの一種または二種以上を組み合わせて任意の形状にして使用するものであってもよい。担体２１に有効成分等を保持させるには、担体２１に薬剤を滴下塗布、含浸塗布、スプレー塗布等の液状塗布方法、液状印刷、はけ塗り等の方法、或いは担体２１へ貼り付けする方法等を用いることができる。更に、使用する組成物が液状のものでない場合、或いは溶剤を使用しない場合、混練込み、塗布、印刷等の方法を適用できる。
【００１７】
担体２１に保持させる薬剤の有効成分としては、害虫防除剤、殺菌剤、芳香剤、消臭剤等を例示できる。害虫防除成分として代表的なものを、以下に例示する。
・ｄｌ−３−アリル−２−メチル−４−オキソ−２−シクロペンテニル ｄｌ−シス／トランス−クリサンテマート（一般名アレスリン：商品名ピナミン：住友化学工業株式会社製）
・ｄｌ−３−アリル−２−メチル−４−オキソ−２−シクロペンテニル ｄ−シス／トランス−クリサンテマート（商品名ピナミンフォルテ：住友化学工業株式会社製）
・ｄｌ−３−アリル−２−メチル−４−オキソ−２−シクロペンテニル ｄ−トランス−クリサンテマート（一般名バイオアレスリン、商品名エスバイオール：ユクラフ社製）
・ｄ−３−アリル−２−メチル−４−オキソ−２−シクロペンテニル ｄ−トランス−クリサンテマート（商品名エキスリン：住友化学工業株式会社製）
・（５−ベンジル−３−フリル）メチル ｄ−シス／トランス−クリサンテマート（一般名レスメトリン：商品名クリスロンフォルテ：住友化学工業株式会社製）
・５−プロパギル−２−フリルメチル−ｄ−シス／トランス−クリサンテマート（一般名フラメトリン：商品名ピナミンＤフォルテ：住友化学工業株式会社製）
・（＋）−２−メチル−４−オキソ−３−（２−プロピニル）−２−シクロペンテニル（＋）−シス／トランス−クリサンテマート（一般名プラレトリン、商品名エトック：住友化学工業株式会社製）
・ｄｌ−３−アリル−２−メチル−４−オキソ−２−シクロペンテニル−ｄｌ−シス／トランス−２，２，３，３−テトラメチルシクロプロパンカルボシキラート（一般名テラレスリン：住友化学工業株式会社製）
・（１，３，４，５，６，７−ヘキサヒドロ−１，３−ジオキソ−２−イソインドリル）メチル−ｄｌ−シス／トランス−クリサンテマート（一般名フタルスリン、商品名ネオピナミン：住友化学工業株式会社製）
・（１，３，４，５，６，７−ヘキサヒドロ−１，３−ジオキソ−２−イソインドリル）メチル−ｄ−シス／トランス−クリサンテマート（商品名ネオピナミンフォルテ：住友化学工業株式会社製）
・３−フェノキシベンジル−ｄ−シス／トランス−クリサンテマート（一般名フェノトリン、商品名スミスリン：住友化学工業株式会社製）
・３−フェノキシベンジル−ｄｌ−シス／トランス−３−（２，２−ジクロロビニル）−２，２−ジメチル−１−シクロプロパンカルボキシラート（一般名ペルメトリン、商品名エクスミン：住友化学工業株式会社製）
・（±）α−シアノ−３−フェノキシベンジル（＋）−シス／トランス−クリサンテマート（一般名シフェノトリン、商品名ゴキラート：住友化学工業株式会社製）
・１−エチニル−２−メチル−２−ペンテニル ｄｌ−シス／トランス−３−（２，２−ジメチルビニル）−２，２−ジメチル−１−シクロプロパンカルボキシラート（一般名エンペントリン、商品名ベーパースリン：住友化学工業株式会社製）
・ｄ−トランス−２，３，５，６−テトラフルオロベンジル−３−（２，２−ジクロロビニル）−２，２−ジメチル−１−シクロプロパンカルボキシレート（一般名トランスフルスリン）
・１−エチニル−２−メチル−２−ペンテニル ３−（２，２−ジクロロエテニル）−２，２−ジメチルシクロプロパンカルボキシラート等。
【００１８】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基またはハロゲン原子である化合物を用いることもできる。この他にも、フィプロニール、イミプロトリン、フラニル系の殺虫剤であるジノテフラン（化学名：（ＲＳ）−１−メチル−２−ニトロ−３−（テトラヒドロ−３−フリルメチル）グアニジン）、トリクロルホン、カルタップ、アセタミプリド、イミダクロプリド（Ｉｍｉｄａｃｌｏｐｒｉｄ、日本バイエルアグロケム社製）、ニテンピラム（Ｎｉｔｅｎｐｙｒａｍ、住化武田農薬社製）、チアクロプリド（Ｔｈｉａｃｌｏｐｒｉｄ、日本バイエルアグロケム社製）、クロチアニジン（Ｃｌｏｔｉａｎｉｄｉｎ、住化武田農薬社製）、チアメトキサム（Ｔｈｉａｍｅｔｈｏｘａｍ、シンジェンタ社製）、プロポクスル（Ｐｒｏｐｏｘｕｒ、バイエル薬品社製）、ピメトロジン（Ｐｙｍｅｔｒｏｚｉｎｅ、シンジェンタ社製）、フェニトロチオン（住友化学社製）、フェンチオン（バイエル社製）、メトフルトリン（住友化学社製）、プロフルトリン（住友化学社製）、アミドフルメト（住友化学社製）、植物精油などの殺虫剤やメトプレン（イソプロピル（２Ｅ−２Ｅ）−１１−メトキシ−３，７，１１−トリメチル−２，４−トリメチルドデカ−２，４−ジエノエート）、ピリプロキシフェン、８２−［１−メチル−２−（フェノキシフェノキシ）エトキシ］ピリジン）などの昆虫幼若ホルモン、ジフルペンズロン（１−（４−クロロフェニル）−３−（２，６−ジフルオロベンゾイル）ウレア）、テフルベンズロン（１−（３，５−ジフルオロベンゾイル）ウレア）などの昆虫キチン形成阻害化合物などが挙げられる。
【００１９】
こうした中でも、常温で難揮散性のものが好ましく、さらに、プラレトリン、レスメトリン、バイオアレスリン、フラメトリン、テラレスリン、トランスフルスリン、メトフルトリン、プロフルトリンが特に好ましい。このような害虫防除成分は単独で用いてもよく、組み合わせて用いてもよい。また、これらの類縁体も用いられる。これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、難揮散性となり長時間にわたって害虫防除効果を得ることができる。
【００２０】
担体２１に薬剤を保持させる際に、担体２１に薬剤を容易に含浸させるための理由で液状薬剤を低粘度化する添加剤として、ミリスチン酸イソプロピル、パルミチン酸イソプロピル、ラウリル酸ヘキシルなどの脂肪酸エステルやイソプロピルアルコール、ポリエチレングリコール、脱臭ケロシンなどの溶剤を必要に応じて使用することができる。また、担体２１に薬剤を保持させる際に、その他の補助成分とともにこれを保持させることができ、例えば、蒸散促進用助剤として昇華性物質を添加すると揮散効果が高まってよい。害虫防除成分としてピレスロイド系化合物を使用する場合には、これに対して有効な既知の共力剤を混合することも好ましい。さらにＢＨＴやＢＨＡなどの酸化防止剤や紫外線吸収剤を添加すると光、熱、酸化などに対する安定性が高まる。
【００２１】
保持器２２は担体２１を保持するための部材であり、例えば、中心に設けられた支持部２３から４５度間隔で放射状に延設された８本のリブ２４の先端が、リング状枠体２５の下面に接続して形成されている。リング状枠体２５の内径及び高さは、担体２１の外径及び厚さと同じ寸法となっており、担体２１がリング状枠体２５内に嵌合して収容される。これにより、保持器２２には担体２１の下面を露出させる略３角形の複数の開口２６が形成されるとともに、担体２１の上面は全面露出することになる。また、保持器２２の支持部２３は上方に突出して設けられており、支持部２３の先端にＬ字形状あるいはＪ字形状をした引っ掛け部２３ａが設けられている。したがって、保持器２２に担体２１を取り付けた状態では、支持部２３が担体２１の貫通穴２１を貫通して嵌合し、支持部２３の上端部および引っ掛け部２３ａは担体２１の上面から突出することになる。
【００２２】
図２に示すように、担体２１を保持した保持器２２は、吊具１４によって吊下げ状態で保持される。吊具１４は例えばゴム製であり、上端には上カバー１１の支持部１３に引っ掛けられる上引っ掛け穴１４ａを有するとともに、下端には保持器２２の支持部２３の引っ掛け部２３ａに引っ掛けられる下引っ掛け穴１４ｂを有している。
【００２３】
器体１０Ａを組み立てる際は、薬剤を保持した担体２１を保持器２２に取り付けておき、吊具１４の上引っ掛け穴１４ａを上カバー１１の支持部１３の引っ掛け部（図示省略）に引っ掛けるとともに、吊具１４の下引っ掛け穴１４ｂを、担体２１から突出している保持器２２の支持部２３の引っ掛け部２３ａに引っ掛ける。あるいは、吊具１４の下引っ掛け穴１４ｂを保持器２２の引っ掛け部２３ａに引っ掛けてから、吊具１４の上引っ掛け穴１４ａを上カバー１１の支持部１３に引っ掛けるようにしてもよい。その後、下カバー１２を上カバー１１に取り付けて器体１０Ａを形成する。
【００２４】
したがって、薬剤保持体２０は、上カバー１１と下カバー１２との間に形成される空間Ｓに吊下げられて、上下方向にある程度自由に移動可能となっている。なお、吊具１４をゴム等の柔軟な材質によって形成することにより、薬剤保持体２０はある程度の回転移動も可能となっている。さらに、吊具１４の上引っ掛け穴１４ａを支点とした振り子移動も可能となっている。
【００２５】
なお、害虫防除成分が保持された担体２１は消耗品であり、携帯型害虫防除装置１Ａの使用により害虫防除成分が消費されたとき、担体２１の交換が必要となる。消耗品の販売形態としては、担体２１のみを供給してもよく、或いは担体２１および保持器２２を一体に組み付けた薬剤保持体２０を消耗品として供給してもよい。使用者は、上記した組付け手順と逆の手順により取り出して容易に交換することができる。なお、器体１０Ａごと交換するようにすると、交換が非常に容易になる。
【００２６】
図４に示すように、腕装着型の携帯型害虫防除装置１Ａを使用者の腕２に装着する装着手段であるリストバンド３０は、柔軟性を有する樹脂やゴムなどで長尺帯体３１が形成されており、中央には器体１０Ａを取り付けるための器体取付部３２を有している。器体取付部３２には、下カバー１２の取付ボス１２ｅを挿入して係合させるために断面略Ｌ字型の一対の係合穴３３が円周方向に沿って凹設されている。したがって、係合穴３３に下カバー１２の取付ボス１２ｅ（図３参照）を挿入して回転させることにより、器体１０Ａをリストバンド３０に着脱自在に装着することができる。なお、リストバンド３０の一部もしくは全体を幅のある伸縮自在のゴム紐としてもよい。
【００２７】
長尺帯体３１の一端には、球状の頭部３４ａを柱状部３４ｂの先端に有する係合突起３４が設けられており、器体取付部３２を挟んで係合突起３４と反対側の長尺帯体３１には、所定間隔で複数個の係合穴３５が設けられている。係合穴３５の径は、係合突起３４の頭部３４ａの外径よりも若干小さく、かつ、柱状部３４ｂの外径よりも大き目となっており、係合突起３４の頭部３４ａを係合穴３５に押し込んで貫通させることにより、不意の脱落を防止して係止することができる。なお、この係合穴３８による係止手段に代えて、マジックテープを利用したものでもよい。
したがって、図５に示すように、長尺帯体３１を使用者の腕２にまきつけ、係合突起３４を腕２の太さに対応する係合穴３５に挿入して係止することにより、リストバンド３０を腕２に取り付けることができる。これにより、薬剤保持体２０を腕に容易に装着することができる。
【００２８】
本実施形態の作用を説明する。
本実施形態の腕装着型の携帯型害虫防除装置１Ａは、図５に示すように、リストバンド３０によって使用者の腕２に装着され、主に屋外において携帯して使用される。例えば、使用者がウオーキング、ハイキング、または各種作業を行うなどのために腕２を動かすと、携帯型害虫防除装置１Ａの器体１０Ａが移動する。器体１０Ａの内部空間Ｓに保持されている薬剤保持体２０は、柔軟な吊具１４によって吊下げ状態で保持されているので、器体１０Ａの移動に伴って上下移動、回転移動、および振り子移動等、様々な運動が生じる。薬剤保持体２０が移動すると、担体２１の周囲の空気との間に相対的に気流が生じ、担体２１にあたって該担体２１に保持されている害虫防除成分が効率的に揮散する。またこれにより、従来の害虫防除装置で用いられている常温で揮散する害虫防除成分だけでなく、気流によって揮散する害虫防除成分の使用も可能となり、より効果的な害虫防除を行うことができる。
【００２９】
以上、説明したように、本発明の第１実施形態にかかる携帯型害虫防除装置１Ａによれば、単に携帯型害虫防除装置１Ａを腕２に装着しておくだけで、薬剤保持体２０を介して担体２１が移動して害虫防除成分を揮散させるので、従来の装置のようにモータや電池などの高価な装置を用いることなく害虫防除成分を効果的に拡散させて害虫を防除することができる。また、モータや電池などの駆動装置が不要となるので、害虫防除装置を小型化・軽量化して、携帯に好適な大きさにすることができ、利便性が大幅に向上する。
【００３０】
また、薬剤保持体２０に保持されている薬剤が揮散して、効力が弱くなった場合には、担体２１、薬剤保持体２０あるいは器体１０Ａのみを交換することにより、リストバンド３０等を再使用することができ、ランニングコストの低減を図るとともに、ごみの発生を減少させることができる。
【００３１】
また、携帯型害虫防除装置１Ａは、装着手段であるリストバンド３０を装着部位に好適な形態のものに適宜交換することによって、腕だけでなく、首、衣服、帽子、かばん、ベルト等の身体や携帯品の任意の位置に装着することができる。
【００３２】
次に、本発明の第２実施形態にかかる携帯型害虫防除装置を図に基づいて説明する。図６は本発明の第２実施形態にかかる携帯型害虫防除装置の分解斜視図である。なお、すでに説明した部位と共通する部位には同じ符号を付して、重複する説明を省略する。
【００３３】
図６に示すように、本発明の第２実施形態にかかる携帯型害虫防除装置１Ｂでは、器体１０Ｂ内に薬剤保持体２０Ｂを移動自在に収容している。すなわち、器体１０Ｂは、樹脂によって略椀形に形成された上カバー１１及び下カバー１２Ｂとからなり、下カバー１２Ｂに上カバー１１を嵌合させることにより内部に薬剤保持体２０Ｂを収容するための空間Ｓが形成される。なお、器体１０Ｂは、使用者の腕２に装着する装着手段であるリストバンド３０に着脱可能に取り付けられて使用されるのは前述した実施形態と同様である（図５参照）。
【００３４】
図６に示すように、下カバー１２Ｂは、底部１２ａと、底部１２ａの外周に沿って立設された壁部１２ｂとにより略有底円筒状に形成されており、底部１２ａの中心に支持部１５が設けられている。支持部１５の上面には、Ｌ字形状あるいはＪ字形状をした引っ掛け部１５ａが設けられている。なお、下カバー１２Ｂの下面には、前述した略Ｌ字形の一対の取付ボス１２ｅ、１２ｄが形成されており、器体１０Ｂをリストバンド３０に着脱自在に取り付けることができる。
【００３５】
下カバー１２Ｂの支持部１５等に対応して、図示はしないが、保持器２２Ｂの下面にも保持器２２Ｂの上面に設けた支持部２３および引っ掛け部２３ａと同様の支持部および引っ掛け部が設けられている。そして、保持器２２Ｂの上面側の引っ掛け部２３ａと上カバー１１の引っ掛け部とに取り付ける吊具１４Ａと同様の吊具１４Ｂが、保持器２２Ｂの下面側の引っ掛け部と下カバー１２Ｂの引っ掛け部１５ａとの間に取り付けられる。これにより、薬剤保持体２０Ｂは、上カバー１１および下カバー１２Ｂに取り付けられることになる。なお、吊具１４Ａおよび吊具１４Ｂは同じ部材である必要はないが、部材種類の減少の観点から、同じ部材を共通して用いるようにするのが好適である。
【００３６】
器体１０Ｂを組み立てる際は、薬剤を保持した担体２１を保持器２２Ｂに取り付けておき、上カバー１１の支持部１３の引っ掛け部（図示省略）と保持器２２Ｂの上側の引っ掛け部２３ａとの間に吊具１４Ａを取り付けるとともに、下カバー１２Ｂの支持部１５の引っ掛け部１５ａと保持器２２Ｂの下側の引っ掛け部との間に吊具１４Ｂを取り付ける。その後、下カバー１２Ｂを上カバー１１に取り付けて器体１０Ｂを形成する。この際、吊具１４Ａ、１４Ｂはともに、例えばゴム製の柔軟な部品なので、上カバー１１および下カバー１２Ｂに取り付けた状態で両カバー１１、１２Ｂを容易に回転することができる。
【００３７】
以上説明した本発明の第２実施形態にかかる携帯型害虫防除装置１Ｂによっても、前述した実施形態と同様の効果を得ることができる。さらに、薬剤保持体２０Ｂを上カバー１１および下カバー１２Ｂに取り付けたので、携帯型害虫防除装置１Ｂを装着した腕２等を移動させた際に、薬剤保持体２０Ｂががたつくのを防止することができる。
【００３８】
次に、本発明の第３実施形態にかかる携帯型害虫防除装置を図に基づいて説明する。図７（ａ）は本発明の第３実施形態にかかる携帯型害虫防除装置の斜視図、図７（ｂ）は図７（ａ）中Ｂ−Ｂ位置の断面図である。なお、すでに説明した部位と共通する部位には同じ符号を付して、重複する説明を省略する。
【００３９】
図７に示すように、本発明の第３実施形態にかかる携帯型害虫防除装置１Ｃでは、器体１０Ｃ内に全体矩形状の薬剤保持体２０Ｃを移動自在に収容している。すなわち、器体１０Ｃは、樹脂によって略椀形に形成された上カバー１１Ｃ及び下カバー１２Ｃを有しており、器体１０Ｃの側面を貫通して薬剤保持体２０Ｃが往復移動可能に保持されている。薬剤保持体２０Ｃが貫通する位置は、上カバー１１Ｃあるいは下カバー１２Ｃのいずれでもよく、両カバー１１Ｃ、１２Ｃに亙ってもよい。薬剤保持体２０Ｃの移動は薬剤保持体２０Ｃ自身の重量によるものであり、モータ等の移動機構は有していない。
【００４０】
薬剤保持体２０Ｃは、全体矩形箱状のカートリッジ２７を有しており、カートリッジ２７の中央部には矩形状の本体部２７ａが形成されるとともに、本体部２７ａの両端は上下に拡大されてストッパ部２７ｂが形成されている。本体部２７ａの上下面および側面には、開口２７ｃが設けられている。カートリッジ２７の内部には、矩形状の担体２１Ｃが収容されている。なお、このとき、担体２１Ｃは粒状、小球状のものが多数入っていてもよい。
【００４１】
したがって、携帯型害虫防除装置１Ｃを装着している腕２等を移動させることにより、薬剤保持体２０Ｃ自身の重量によって往復移動するため、薬剤保持体２０Ｃに収容されている担体２１Ｃに含浸されている薬剤の揮発を促進することになる。なお、図７では、本体部２７ａが器体１０Ｃ内を貫通して往復移動し、ストッパ部２７ｂが器体１０Ｃの側面に当接することにより移動を制限しているため、本体部２７ａの一部は器体１０Ｃから露出する構造となっているが、薬剤保持体２０Ｃが器体１０Ｃの内部でのみ往復移動するようにして、器体１０Ｃから露出しないようにすることもできる。この場合には、ストッパ部２７ｂは必ずしも必要ではない。
【００４２】
以上説明した本発明の第３実施形態にかかる携帯型害虫防除装置１Ｃによっても、前述した実施形態と同様の効果を得ることができる。さらに、薬剤保持体２０Ｃは、携帯型害虫防除装置１Ｃを装着している腕２等の移動に加えて、器体１０Ｃに対して相対的に移動するため移動量が増加し、担体２１Ｃに含浸されている薬剤を効率よく揮散させることができる。
【００４３】
次に、本発明の第４実施形態にかかる携帯型害虫防除装置を図に基づいて説明する。図８（ａ）は本発明の第４実施形態にかかる携帯型害虫防除装置における器体を示す断面図、図８（ｂ）および（ｃ）は変形例である。なお、すでに説明した部位と共通する部位には同じ符号を付して、重複する説明を省略する。
【００４４】
図８（ａ）に示すように、本発明の第４実施形態にかかる携帯型害虫防除装置１Ｄａでは、器体１０Ｄａは円板状の下カバー１２Ｄａと、下カバー１２Ｄａの中心に立設されている支持部１６によって回転自在に支持されている椀状の上カバー１１Ｄａを有している。そして、下カバー１２Ｄａの上面および上カバー１１Ｄａの側部内面に、薬剤を保持した担体２１が取り付けられている。下カバー１２Ｄａはリストバンド３０に対して回転しないため、担体２１を下カバーＤａの上面全面に設けてもよい。一方、上カバー１１Ｄａに設ける担体２１は、支持部１６によって支持されている回転中心に対して偏心する位置に設けることにより、上カバー１１Ｄａを容易に回転するようにする。なお、支持部１６の先端部を尖らせて摩擦を少なくして回転し易くするのが望ましい。
【００４５】
したがって、上カバー１１Ｄａは偏心して取り付けられている担体２１を錘として回転するので、より低コスト化が可能となり、また上カバー１１Ｄａに取り付けられている担体２１に含浸されている薬剤の揮散を促進する。また、上カバー１１Ｄａの回転によって器体１０Ｄａ内部に気流が生じるので、下カバー１２Ｄａに取り付けられている担体２１に含浸されている薬剤の揮散も促進することになる。
なお、ここで軸と軸受とは抜け止めにより、用事に上カバー１１Ｄａが外れないようになっている。
【００４６】
また、図８（ｂ）に示すように、この携帯型害虫防除装置１Ｄｂでは、器体１０Ｄｂは椀状の下カバー１２Ｄｂと、下カバー１２Ｄｂの中心に立設されている支持部１６によって回転自在に支持されている円板状の上カバー１１Ｄｂを有している。そして、下カバー１２Ｄｂの上面および側部内面に、薬剤を保持した担体２１が取り付けられている。下カバー１２Ｄｂはリストバンド３０に対して回転しないため、担体２１を下カバーＤａの上面全面や側部内面全面に設けることも可能である。一方、上カバー１１Ｄｂは、ここでは担体や錘を設けずに、単に回転可能となっているが、上カバー１１Ｄｂの偏心した位置に錘や担体を設けて、回転し易くすることも可能である。無論、１１Ｄｂに担体２１を設けて回転し易くしてもよい。
【００４７】
したがって、携帯型害虫防除装置１Ｄｂを装着した腕２等を移動させることにより、担体２１に含浸されている薬剤の揮散を促進させることができるとともに、上カバー１１Ｄｂの回転によって器体１０Ｄｂ内に気流が発生するので、さらに薬剤の揮散を促進することができる。
【００４８】
さらに、図８（ｃ）に示すように、この携帯型害虫防除装置１Ｄｃでは、器体１０Ｄｃは、円板状の下カバー１２Ｄｃと、円板状の上カバー１１Ｄｃを有しており、両カバー１１Ｄｃ、１２Ｄｃの間に回転体１７を回転自在に有している。なお、回転体１７および上カバー１１Ｄｃをそれぞれ下カバー１２Ｄｃに対して回転自在とすることができるが、上カバー１１Ｄｃと下カバー１２Ｄｃを一体として、回転体１７のみを回転自在とすることもできる。そして、回転体１７の側壁１７ａ内面の偏心した位置に担体２１を取り付ける。下カバー１２Ｄｃの上面にも担体２１を取り付ける。なお、上カバー１１Ｄｃの偏心した位置に錘や担体を設けて、回転し易くすることも可能である。
【００４９】
したがって、回転体１７は偏心して取り付けられている担体２１を錘として回転するので、回転体１７に取り付けられている担体２１に含浸されている薬剤の揮散を促進する。また、回転体１７の回転によって器体１０Ｄｃ内部に気流が生じるので、下カバー１２Ｄｃに取り付けられている担体２１に含浸されている薬剤の揮散も促進されることになる。
【００５０】
次に、本発明の第５実施形態にかかる携帯型害虫防除装置を図に基づいて説明する。図９（ａ）は本発明の第５実施形態にかかる携帯型害虫防除装置における器体を示す断面図、図９（ｂ）は変形例である。なお、すでに説明した部位と共通する部位には同じ符号を付して、重複する説明を省略する。
【００５１】
図９（ａ）に示すように、本発明の第５実施形態にかかる携帯型害虫防除装置１Ｅａでは、器体１０Ｅａは椀状の下カバー１２Ｅと、椀状の上カバー１１Ｅを組み合わせて内部に空間Ｓを設けている。内部空間Ｓの高さ方向中間位置には、支持部１６によって回転板１８が回転自在に設けられており、回転板１８の上下面には、回転板１８が全体として偏心する位置に錘１８ａが設けられている。内部空間Ｓには、薬剤を含浸した粒状の担体２８が多数収容されている。担体２８は、紙類、樹脂類、繊維類等を球状にして薬剤を含浸させたものや、薬剤を粒状に成型したもの等を用いることができる。なお、担体２８が自由に移動できるように、器体１０Ｅａ内には担体２８を収容した後もある程度の空間を確保する。また、上カバー１１Ｅの全体および下カバー１２Ｅの側面には適宜開口１１ｂ、１１ｆ、１２ｆが設けられているが、粒状の担体２８が通過できない大きさとする。
【００５２】
したがって、器体１０Ｅａの移動に伴って粒状の担体２８が移動し、さらに回転板１８が回転することにより担体２８を攪拌して移動させるので、担体２８に含浸されている薬剤の揮散を促進する。
【００５３】
図９（ｂ）に示すように、この携帯型害虫防除装置１Ｅｂは、上述した携帯型害虫防除装置１Ｅａにおける錘１８ａの代わりに、回転板１８の偏心した位置に担体２１を取り付けたものである。なお、担体２８を例えば魚形状に形成し、上カバー１１Ｅおよび下カバー１２Ｅを透明材料で形成して、あたかも水槽内を魚が遊泳するように見せるようにすることができる。これにより、使用者が視覚的に楽しむこともできる。
【００５４】
したがって、粒状の担体２８の移動に伴う薬剤の揮散に加えて、回転板１８に取り付けられている担体２１からも薬剤が揮散することになる。
【００５５】
次に、本発明の第６実施形態にかかる携帯型害虫防除装置を図に基づいて説明する。図１０は本発明の第６実施形態にかかる携帯型害虫防除装置における器体を示す断面図である。なお、すでに説明した部位と共通する部位には同じ符号を付して、重複する説明を省略する。
【００５６】
図１０に示すように、本発明の第６実施形態にかかる携帯型害虫防除装置１Ｆでは、器体１０Ｆは椀状の下カバー１２Ｆと、椀状の上カバー１１Ｆを組み合わせて内部に空間Ｓを設けている。上カバー１１Ｆおよび下カバー１２Ｆには、それぞれ支持軸１１ｇ、１２ｇが中心に向かって設けられており、両支持軸１１ｇ、１２ｇの先端を螺合させることにより両カバー１１Ｆ、１２Ｆを一体化することができるようになっている。あるいは、両支持軸１１ｇ、１２ｇの先端を互いに嵌合させて係止するようにしてもよい。
【００５７】
内部空間Ｓには、薬剤を含浸した粒状の担体２８が多数収容されている。また、担体２８が自由に移動できるように、器体１０Ｆ内には担体２８を収容した後もある程度の空間を確保する。そして、上カバー１１Ｆの全体および下カバー１２Ｆの側面には適宜開口１１ｂ、１１ｆ、１２ｆが設けられているが、粒状の担体２８が通過できない大きさとする。
【００５８】
したがって、器体１０Ｆの移動に伴って粒状の担体２８が自由に移動するので、担体２８に含浸されている薬剤が揮散される。
【００５９】
次に、本発明の第７実施形態にかかる携帯型害虫防除装置を図に基づいて説明する。図１１は本発明の第７実施形態にかかる携帯型害虫防除装置における器体を示す一部破断の平面図である。なお、すでに説明した部位と共通する部位には同じ符号を付して、重複する説明を省略する。
【００６０】
図１１に示すように、本発明の第７実施形態にかかる携帯型害虫防除装置１Ｇでは、器体１０Ｇを構成する上カバー１１Ｇを、揮散した薬剤を透過させることができるガス透過性フィルムによって例えば円形に形成したものである。これにより、上カバー１１Ｇと下カバー１２Ｇとの間に内部空間Ｓを形成し、この内部空間Ｓには、薬剤を含浸した微細粒、ペースト状、ゲル状の担体２９が多数収容されている。なお、担体２９が自由に移動できるように、器体１０Ｇ内には担体２９を収容した後もある程度の移動空間を確保する。
【００６１】
また、下カバー１２Ｇとして前述したものと同様のものを用いる場合には、取付ボス１２ｅによってリストバンド３０に着脱自在に取り付けることができる。あるいは、器体１０Ｇ全体をガス透過性フィルムによって形成し、例えば両面テープや接着材等でリストバンド３０の器体取付部３２に貼り付けるようにすることもできる。この場合には、取付ボスを設ける必要はない。
【００６２】
したがって、器体１０Ｇの移動に伴ってペースト状の担体２９が自由に移動するので、担体２９に含浸されている薬剤が、ガス透過性フィルムを透過して揮散される。
【００６３】
次に、本発明の第８実施形態にかかる携帯型害虫防除装置を図に基づいて説明する。図１２（ａ）は本発明の第８実施形態にかかる携帯型害虫防除装置における器体を示すＡ−Ａ位置から見た平面図、図１２（ｂ）は図１２（ａ）中Ｂ−Ｂ位置の断面図である。なお、すでに説明した部位と共通する部位には同じ符号を付して、重複する説明を省略する。
【００６４】
図１２（ａ）および（ｂ）に示すように、本発明の第８実施形態にかかる携帯型害虫防除装置１Ｈでは、器体１０Ｈが、平板状の下カバー１２Ｈと、下カバー１２Ｈの上面を覆う半球状の上カバー１１Ｈで構成されている。下カバー１２Ｈの上面には、担体として薬剤を含浸した多数本の線状部材１９が植設されており、内部空間Ｓにおいて自由に揺れるようになっている。また、上カバー１１Ｈには、薬剤を揮散させるための開口１１ｂが多数設けられている。この器体１０Ｈは、下カバー１２Ｈの下面に設けられている取付ボス１２ｅによって、リストバンド３０に着脱自在に取り付けられる。
【００６５】
したがって、器体１０Ｈの移動に伴って薬剤を含浸した線状部材１９が揺れるので、線状部材１９に含浸されている薬剤が、揮散されることになる。
なお、本実施形態では、線状部材１９が上カバー１０Ｈと下カバー１２Ｈとで画成される内部空間Ｓ内に収納されて構成されているが、上カバー１０Ｈと下カバー１２Ｈとを取り除いて、線状部材１９をリストバンド３０に例えばテープや接着剤等によって直接固定的に取り付けるようにしてもよく、この場合にでも同様な効果を得ることができる。
【００６６】
次に、本発明の第９実施形態にかかる携帯型害虫防除装置を図に基づいて説明する。図１３は本発明の第９実施形態にかかる携帯型害虫防除装置の斜視図である。なお、すでに説明した部位と共通する部位には同じ符号を付して、重複する説明を省略する。
【００６７】
図１３に示すように、本発明の第９実施形態にかかる携帯型害虫防除装置１Ｊでは、器体１０Ｊが、半球状の下カバー１２Ｊと、下カバー１２Ｊの内側で回動軸４１を中心として回動自在に設けられた半球状の上カバー１１Ｊで構成されている。上カバー１１Ｊには、薬剤が含浸された担体２１が内面に固着されるように取り付けられている。また、上カバー１１Ｊには、薬剤を揮散させるための開口を設けるのが好適である。この器体１０Ｊは、下カバー１２Ｊの下面に設けられている一対の取付ボス１２ｅによって、リストバンド３０の器体取付部３２に着脱自在に取り付けられる。
【００６８】
したがって、器体１０Ｊの移動に伴って上カバー１１Ｊがゆりかごのように回動し、担体２１に含浸されている薬剤の揮散を促進する。なお、回動軸４１を設けずに、上カバー１１Ｊを下カバー１２Ｊの内側に直接回動自在に軸支してもよい。また、上カバー１１Ｊは、下カバー１２Ｊに対して３６０°以上回転してもよい。
【００６９】
次に、本発明の第１０実施形態にかかる携帯型害虫防除装置を図に基づいて説明する。図１４（ａ）は本発明の第１０実施形態にかかる携帯型害虫防除装置の平面図、図１４（ｂ）は図１４（ａ）中Ｂ−Ｂ位置の断面図である。なお、すでに説明した部位と共通する部位には同じ符号を付して、重複する説明を省略する。
【００７０】
図１４に示すように、本発明の第１０実施形態にかかる携帯型害虫防除装置１Ｋでは、器体１０Ｋは下カバー１２Ｋおよび上カバー１１Ｋを有しており、中央に回転収容部４２、回転収容部４２の図中上側に第１収容部４３、回転収容部４２の図中下側に第２収容部４４が形成されている。回転収容部４２と第１収容部４３との境界４３ａおよび回転収容部４２と第２収容部４４との境界４４ａは幅および高さが小さくなっていて全体が砂時計形状をしており、器体１０Ｋ内部に多数の粒状担体２８が収容されている。
【００７１】
下カバー１２Ｋは回転軸４５によってリストバンド３０に回転可能に軸支されており、器体１０Ｋは全体としてリストバンド３０に対して図中上下方向（矢印Ａ方向）に回転可能となっている。なお、器体１０Ｋは、第１収容部４３および第２収容部４４がリストバンド３０上に位置する位置で、１８０°づつ係止可能とし、上下を入れ替える際以外のときに、不意に回転するのを防止するのが望ましい。
【００７２】
回転収容部４２内部には、例えば十字形状をした回転羽根４２ａが回転軸４５に対して回転自在に設けられており、粒状の担体２８が第１収容部４３から第２収容部４４へ落下移動する際や、反対に第２収容部４４から第１収容部４３へ落下移動する際に、担体２８が衝突して回転される。これにより、担体２８が攪拌されるので、薬剤の揮散を促進することになる。なお、担体２８が一方の収容部４３、４４に落下し終わったら、器体１０Ｋを１８０°回転させるのが望ましい。また、下カバー１２Ｋを直接リストバンド３０に回転可能に取り付ける代わりに、下面に取付ボス１２ｅ（図３参照）を有する部材を設けて、この部材に下カバー１２Ｋを回転可能に取り付けることもできる。この場合には、器体１０Ｋを容易に交換することができる。
【００７３】
次に、本発明の第１１実施形態にかかる携帯型害虫防除装置を図に基づいて説明する。図１５は本発明の第１１実施形態にかかる携帯型害虫防除装置の平面図である。なお、すでに説明した部位と共通する部位には同じ符号を付して、重複する説明を省略する。
【００７４】
図１５に示すように、本発明の第１１実施形態にかかる携帯型害虫防除装置１Ｌでは、器体１０Ｌは例えば楕円形状をした下カバー１２Ｌおよび多数の開口１１ｂを有する上カバー１１Ｌを有しており、内部に空間Ｓが形成されている。この器体１０Ｌは、下カバー１２Ｌの下面に設けられている一対の取付ボス１２ｅ（図３参照）によって、リストバンド３０の器体取付部３２（図４参照）に着脱自在に取り付けられる。
【００７５】
下カバー１２Ｌ上には、中央に第１の歯車４６が回転自在に設けられており、この第１の歯車４６に噛合する第２の歯車４７および第３の歯車４８が回転自在に設けられている。また、第１の歯車４６には、同心円状の切欠き４６ａが円周方向に所定長さで設けられており、この切欠き４６ａの内部には、錘４９が回転自在に嵌合されている。このため、携帯型害虫防除装置１Ｌが装着されて振られるに伴い、当該錘４９が切欠き４６ａ内部を転動することにより、第１の歯車４６に回転力を付与することとなる。
【００７６】
第２の歯車４７には、例えば十字形状をした回転羽根４７ａが同心で設けられており、回転羽根４７ａは第２の歯車４７と一体的に回転する。また、第３の歯車４８には、例えば十字の羽根形状をした担体２１が設けられており、担体２１は第３の歯車４８と一体的に回転する。
【００７７】
したがって、第１の歯車４６の回転によって、第２の歯車４７および第３の歯車４８が回転するので、担体２１が回転して、薬剤の揮散を促進させる。
なお、上カバー１１Ｌを透明の部材で構成して、内部の機構が見えるようにするのが好適である。これにより、特に子供の興味を引くことができる。
【００７８】
次に、本発明の第１２実施形態にかかる携帯型害虫防除装置を図に基づいて説明する。図１６は本発明の第１２実施形態にかかる携帯型害虫防除装置の分解斜視図である。なお、すでに説明した部位と共通する部位には同じ符号を付して、重複する説明を省略する。
【００７９】
図１６に示すように、本発明の第１２実施形態にかかる携帯型害虫防除装置１Ｍでは、器体１０Ｍ内に薬剤保持体２０Ｍを回転自在に収納している。すなわち、器体１０Ｍは、樹脂によって略椀形に形成された上カバー１１Ｍ及び下カバー１２Ｍとからなり、下カバー１２Ｍに上カバー１１Ｍを嵌合することにより内部に薬剤保持体２０Ｍを収容するための空間Ｓが形成される。なお、器体１０Ｍは、使用者の腕２に装着する装着手段であるリストバンド３０に着脱可能に取付けられて使用されるのは前述した実施形態と同様である（図５参照）が、無論リストバンド３０以外の器体１０Ｍ自体にフックなどの係止手段、リング状部材などからなる吊下げ用手段、または粘着材による貼止手段を適宜設けてもよい。また、前記薬剤保持体２０Ｍは、格子状の担体を用いたものであってもよい。
【００８０】
図１６に示すように、下カバー１２Ｍは、底部１２ａと、底部１２ａの外周に沿って立設された壁部１２ｂとにより略有底円筒状に形成されており、底部１２ａの中心には支持部６３が設けられている。支持部６３の上面には、薬剤保持体２０Ｍを回転自在に支承するため下部軸受穴６３ａが形成されている。同様に、軸心を同じくして、上カバー１１Ｍの支持部５０の中心の下面にも、他方で薬剤保持体２０Ｍを回転自在に支承するための上部軸受穴（不図示）が形成されている。なお、当該底部１２ａのも開口を設け、通風可能に当該開口に通じるガイド（例えば、底部と取付面との間に間隔をあけた構成など）を設けてもよい。
【００８１】
そして、薬剤保持体２０Ｍは、担体２１と、該担体２１を収納保持する保持器２２Ｍと、ファン部６０と、が組み付けられて構成されている。即ち、担体２１は、保持器２２Ｍとファン部６０とにより挟持されて収納される。
【００８２】
送風機構を構成するファン部６０は、図１６に示すように、リング状枠体６０ｃと、中心に配置された軸支持部６２と、リング状枠体６０ｃと軸支持部６２とを連結して７２度間隔で放射線状に設けられたリブ６０ａと、該リブ６０ａとリング状枠体６０ｃとの連結部に設けられた５枚の羽６０ｂとからなる。軸支持部６２には、上カバー１１Ｍの上部軸受穴（不図示）に回転自在に嵌合する支持軸６２ａが上方に突出して形成されている。５枚の羽６０ｂは、それぞれ周方向断面が略楕円である平板形状により形成されており、その平板形状が軸方向及び周方向に略平行となるようにリング状枠体６０ｃに連結して立設されている。
【００８３】
そして、下カバー１２Ｍの下部軸受穴６３ａに対応して、図示しないが、保持器２２Ｍの下面中心部に軸心が合うように支持軸が下方に突出して形成されている。これにより、薬剤保持体２０Ｍは、上カバー１１Ｍ及び下カバー１２Ｍに取り付けら、回転自在に支持されることとなる。
【００８４】
以上説明した本発明の第１２実施形態にかかる携帯型害虫防除装置１Ｍによっても、前述した実施形態と同様の効果を得ることができるが、特に羽６０ｂを軸方向及び周方向に略平行となるようにリング枠体６０ｃに等間隔となるように設けたので、風向きを問わず薬剤保持体２０Ｍを回転させることができ、極めて効率よく薬剤を揮散させることができる。そして、これに加え、装着時に手を動かす、ないし歩くなどして、風がファン部６０に当たり、回転体を回転させるようにしても使用できる利点がある。
【００８５】
次に、本発明の第１３実施形態にかかる携帯型害虫防除装置を図に基づいて説明する。図１７は本発明の第１３実施形態にかかる携帯型害虫防除装置の分解斜視図である。なお、薬剤保持体以外の部分については第１２実施形態と共通しているので、すでに説明した部位と共通する部分には同じ符号を付して、重複する説明を省略する。
【００８６】
図１７に示すように、本発明の第１３実施形態にかかる携帯型害虫防除装置１Ｎの薬剤保持体２０Ｎは、軸方向両端部に支持軸７３ａ（下方のは図示せず）が設けられた軸支持部７３と、該軸支持部７３に連結されて周方向に突出して設けられたリブ７２と、所定の厚みを持って円筒状に形成された担体７１と、を備えて構成されている。また、リブ７２の周方向先端部には、担体７１の中心部で回転自在に担体７１を保持する担体保持手段７２ａが付設されている。そして、担体７１の半径が、当該担体保持手段７２ａと下カバー１２Ｍの壁部１２ｂとの間の距離と等しくなるように設定されている。
これにより、薬剤保持体２０Ｎの回転時において、担体７１の周面が壁部１２ｂと係合することとなり、この係合箇所における摩擦により、担体７１も同時に担体保持手段７２ａの保持部を中心として回転することとなる。それ以外の態様は第１２実施形態と同様である。
【００８７】
以上説明した本発明の第１３実施形態にかかる携帯型害虫防除装置１Ｎによっても、前述した実施形態と同様の効果を得ることができ、また薬剤保持体２０Ｎとともに、担体７１も同時に担体保持手段７２ａの保持部を中心として回転することとなるので、より一層薬剤の揮散を促進させることになる。
【００８８】
次に、本発明の第１４実施形態にかかる携帯型害虫防除装置を図に基づいて説明する。図１８は本発明の第１４実施形態にかかる携帯型害虫防除装置の分解斜視図である。なお、薬剤保持体以外の部分については第１２実施形態と共通しているので、すでに説明した部位と共通する部分には同じ符号を付して、重複する説明を省略する。
【００８９】
図１８に示すように、本発明の第１４実施形態にかかる携帯型害虫防除装置１Ｐの薬剤保持体２０Ｐは、軸方向両端部に支持軸８３ａ（下方のは図示せず）が設けられた軸支持部８３と、基端部で該支持部８３に連結されるとともに、周方向先端部が円弧状で形成された碇形状の担体８１と、を備えて構成されている。
【００９０】
以上説明した本発明の第１４実施形態にかかる携帯型害虫防除装置１Ｐによっても、前述した実施形態と同様の効果を得ることができ、また担体８１の重心のバランスが偏って回転し易くするので、より一層薬剤の揮散を促進させることになる。
【００９１】
なお、本発明の携帯型害虫防除装置は、前述した各実施形態に限定されるものでなく、適宜な変形，改良等が可能である。
例えば、前述した各実施形態においては、担体２１、２８、２９、７１、８１に含浸されている薬剤を、担体２１、２８、２９、７１、８１の移動によって揮散させたが、このほか、外気温を利用して薬剤の揮散を促進させることもできる。この場合には、上カバー１１に集光レンズを設けるのが好適である。また、人体の体温を利用して薬剤の揮散を促進することもできる。この場合には、装着した状態で人体と接する下カバー１２に、蓄熱部材やアルミ等の熱伝導性の高い部材を設けるのが好適である。
【００９２】
さらに、前述した各実施形態においては、担体２１、２８、２９、７１、８１が装置本体内部に収納されているが、特にこれに限らず、外部に露出していても構わない。例えば、上カバーを除いた構成、あるいは担体が風車形状に形成されて回転自在にリストバンドに止着されるように構成されていてもよい。
【図面の簡単な説明】
【００９３】
【図１】本発明の第１実施形態にかかる腕装着型の携帯型害虫防除装置の全体斜視図である。
【図２】図１における携帯型害虫防除装置の分解斜視図である。
【図３】下カバーの下面を示す斜視図である。
【図４】装着手段であるリストバンドの斜視図である。
【図５】腕に装着された携帯型害虫防除装置の斜視図である。
【図６】本発明の第２実施形態にかかる携帯型害虫防除装置の分解斜視図である。
【図７】（ａ）は本発明の第３実施形態にかかる携帯型害虫防除装置の斜視図、（ｂ）は（ａ）中Ｂ−Ｂ位置の断面図である。
【図８】（ａ）は本発明の第４実施形態にかかる携帯型害虫防除装置における器体を示す断面図、（ｂ）および（ｃ）は変形例である。
【図９】（ａ）は本発明の第５実施形態にかかる携帯型害虫防除装置における器体を示す断面図、（ｂ）は変形例である。
【図１０】本発明の第６実施形態にかかる携帯型害虫防除装置における器体を示す断面図である。
【図１１】本発明の第７実施形態にかかる携帯型害虫防除装置における器体を示す一部破断の平面図である。
【図１２】（ａ）は本発明の第８実施形態にかかる携帯型害虫防除装置における器体を示すＡ−Ａ位置から見た平面図、（ｂ）は（ａ）中Ｂ−Ｂ位置の断面図である。
【図１３】本発明の第９実施形態にかかる携帯型害虫防除装置の斜視図である。
【図１４】（ａ）は本発明の第１０実施形態にかかる携帯型害虫防除装置の平面図、（ｂ）は（ａ）中Ｂ−Ｂ位置の断面図である。
【図１５】本発明の第１１実施形態にかかる携帯型害虫防除装置の平面図である。
【図１６】本発明の第１２実施形態にかかる携帯型害虫防除装置の分解斜視図である。
【図１７】本発明の第１３実施形態にかかる携帯型害虫防除装置の分解斜視図である。
【図１８】本発明の第１４実施形態にかかる携帯型害虫防除装置の分解斜視図である。
【符号の説明】
【００９４】
１    携帯型害虫防除装置（携帯型薬剤揮散装置）
２    腕（身体）
１９  線状部材（担体）
２０  薬剤保持体
２１，２８，２９，７１，８１  担体
【図１】
2008283934.tif 000003
【図２】
2008283934.tif 000004
【図３】
2008283934.tif 000005
【図４】
2008283934.tif 000006
【図５】
2008283934.tif 000007
【図６】
2008283934.tif 000008
【図７】
2008283934.tif 000009
【図８】
2008283934.tif 000010
【図９】
2008283934.tif 000011
【図１０】
2008283934.tif 000012
【図１１】
2008283934.tif 000013
【図１２】
2008283934.tif 000014
【図１３】
2008283934.tif 000015
【図１４】
2008283934.tif 000016
【図１５】
2008283934.tif 000017
【図１６】
2008283934.tif 000018
【図１７】
2008283934.tif 000019
【図１８】
2008283934.tif 000020